(57)【要約】  【課題】  ディジタルカメラで撮影され記録媒体に記録された複数の画像データを、簡単な操作で表現豊かに連続再生することが可能とする。  【解決手段】  ディジタルカメラにおいて、撮影され得られた画像データを、撮影条件情報を含むＥｘｉｆ情報と共に記録媒体に記録する。また、ディジタルカメラにおいて、画像データを再生する際に付加する再生効果と、撮影条件とが予め関連付けられている。記録媒体に記録された画像データをスライドショー再生する際に、再生される画像データ毎に、画像データに対応する撮影条件に関連付けられた再生効果を付加する。ユーザが一々設定しなくても、画像データ毎の再生効果が自動的に付加され、表現豊かなスライドショー再生を楽しむことができる。再生効果を指定して、指定された再生効果に関連付けられた撮影条件を持つ画像データを選択的に用いてスライドショー再生を行うことも可能である。【選択図】  図６
2006211324.tif 000002
【特許請求の範囲】
【請求項１】
入射された光を撮影し、撮影により得られた画像データを該画像データの撮影情報と共に記録媒体に記録し、記録媒体に記録された画像データを再生して出力し、出力される該画像データに対して再生効果を付加できるようにしたディジタルカメラ装置であって、
上記撮影情報と上記再生効果とを関連付けるようにしたことを特徴とするディジタルカメラ装置。
【請求項２】
請求項１に記載のディジタルカメラ装置において、
上記撮影情報は、画像データの撮影時の撮影条件を示す情報であることを特徴とするディジタルカメラ装置。
【請求項３】
請求項１に記載のディジタルカメラ装置において、
上記撮影情報は、画像データの特性を示す情報であることを特徴とするディジタルカメラ装置。
【請求項４】
請求項１に記載のディジタルカメラ装置において、
上記撮影情報と上記再生効果との関連付けは、予めなされていることを特徴とするディジタルカメラ装置。
【請求項５】
請求項１に記載のディジタルカメラ装置において、
上記記録媒体に記録された複数の上記画像データが順次、連続的に再生され出力されるスライドショー再生が可能とされ、該スライドショー再生により再生される画像データのそれぞれに対して、対応する上記撮影情報に関連付けられた上記再生効果が付加されることを特徴とするディジタルカメラ装置。
【請求項６】
請求項１に記載のディジタルカメラ装置において、
上記再生効果は、上記画像データの再生開始の所定期間に付加される効果であることを特徴とするディジタルカメラ装置。
【請求項７】
請求項１に記載のディジタルカメラ装置において、
上記再生効果は、上記画像データの再生終了の所定期間に付加される効果であることを特徴とするディジタルカメラ装置。
【請求項８】
請求項１に記載のディジタルカメラ装置において、
上記再生効果は、上記画像データの再生時間指示であることを特徴とするディジタルカメラ装置。
【請求項９】
請求項１に記載のディジタルカメラ装置において、
上記再生効果は、上記画像データを所定時間をかけて変化させることを特徴とするディジタルカメラ装置。
【請求項１０】
請求項１に記載のディジタルカメラ装置において、
１の上記再生効果に対して複数の上記撮影情報を関連付けることができるようにしたことを特徴とするディジタルカメラ装置。
【請求項１１】
請求項１０に記載のディジタルカメラ装置において、
上記複数の撮影情報に対して、優先順位を設定することができるようにしたことを特徴とするディジタルカメラ装置。
【請求項１２】
請求項１に記載のディジタルカメラ装置において、
上記記録媒体に記録された画像データのうち、指定された上記再生効果に関連付けられた上記撮影情報に対応した画像データを選択的に再生するようにしたことを特徴とするディジタルカメラ装置。
【請求項１３】
請求項１２に記載のディジタルカメラ装置において、
上記指定された再生効果をプレビューできるようにしたことを特徴とするディジタルカメラ装置。
【請求項１４】
請求項１２に記載のディジタルカメラ装置において、
上記記録媒体に記録された複数の上記画像データが順次、連続的に再生され出力されるスライドショー再生が可能とされ、上記指定された再生効果に関連付けられた上記撮影情報に対応した画像データを用いて上記スライドショー再生を行うようにしたことを特徴とするディジタルカメラ装置。
【請求項１５】
入射された光を撮影して得られた画像データが該画像データの撮影情報と共に記録された記録媒体から画像データを再生して出力し、出力される該画像データに対して再生効果を付加できるようにした画像再生方法であって、
上記撮影情報と上記再生効果とを関連付けるようにしたことを特徴とする画像再生方法。
【請求項１６】
入射された光を撮影して得られた画像データが該画像データの撮影情報と共に記録された記録媒体から画像データを再生して出力し、出力される該画像データに対して再生効果を付加できるようにされ、上記撮影情報と上記再生効果とを関連付けるようにした画像再生方法をコンピュータ装置に実行させることを特徴とする画像再生プログラム。
【請求項１７】
画像再生装置に対して画像データの再生方法を指示するためのデータ構造体であって、
撮影により得られた画像データと該画像データの撮影情報とが共に記録された記録媒体から再生されて出力される上記画像データに対して、上記撮影情報に関連付けられた再生効果を付加させるようにした、撮影情報と再生効果とが関連付けられてなるデータ構造体。
【請求項１８】
入射された光を撮影し、撮影により得られた画像データを出力する撮影手段と、
上記画像データを該画像データの撮影情報と共に記録媒体に記録し、上記記録媒体に記録された上記画像データと上記撮影条件情報とを再生する記録再生手段と、
上記記録再生手段により上記記録媒体から再生された上記画像データを出力する出力手段と、
上記出力手段により出力される上記画像データに対して再生効果を付加する再生効果付加手段と
を有し、
上記撮影情報と上記再生効果とを関連付けるようにしたことを特徴とするディジタルカメラ装置。
【発明の詳細な説明】
【技術分野】
【０００１】
この発明は、例えばディジタルカメラといった撮像装置で撮影され記録媒体に記録された複数の画像データを連続再生することが可能なディジタルカメラ装置、画像再生方法および画像再生プログラム、ならびに、データ構造体に関する。
【背景技術】
【０００２】
撮像した画像をディジタル画像データとして記録媒体に保存する、ディジタルカメラが普及している。ディジタルカメラは、ビデオ信号を出力できるようにされた機種も多く、このような機種では、撮像し記録媒体に保存した画像データを、大型のモニタ装置などに表示して楽しめるようになっている。
【０００３】
近年では、このようなディジタルカメラに搭載されるＣＰＵ(Central Processing Unit)も、より高機能化が進み、それに伴い、記録媒体に保存されている画像データを所定間隔で連続的に表示する、所謂スライドショー再生が可能となってきている。特許文献１には、このような、記録媒体に保存された画像データをスライドショー再生できるようにしたディジタルカメラが記載されている。
【特許文献１】特開２００４−２９７４２４号公報
【０００４】
さらに、このスライドショー再生の際に、画像の表示開始時や終了時のフェードインやフェードアウトといった所定の再生効果を付加できる機種も出現してきている。
【発明の開示】
【発明が解決しようとする課題】
【０００５】
このような、従来技術による、ディジタルカメラなどの撮像機能を有するディジタル機器では、スライドショー表示における画像データの切り替え時の再生効果を、スライドショー表示の対象とされる複数の画像データに対して一括して設定することで実現していた。そのため、例えば画像データ毎に異なる再生効果を付加して表示を行うような、ユーザのオリジナリティを反映させたスライドショー再生を行うことができなかったという問題点があった。
【０００６】
また、従来でも、例えばテレビジョン放送のコマーシャル映像のように、スタイリッシュなスライドショー再生となるように、様々な再生効果の組み合わせを予め持っている機器も存在していた。このような機器では、記録媒体から再生された画像データを順に再生する際に、再生された画像データに対して、予めデザインされた再生効果が所定の順序で付加されるようになっている。しかしながら、このような機器でも、画像データは、一定の順序で再生されるため、再生効果と表示画像の内容とが適合しないおそれがあるという問題点があった。
【０００７】
したがって、この発明の目的は、例えばディジタルカメラといった撮像装置で撮影され記録媒体に記録された複数の画像データを、簡単な操作で表現豊かに連続再生することが可能なディジタルカメラ装置、画像再生方法および画像再生プログラム、ならびに、データ構造体を提供することにある。
【課題を解決するための手段】
【０００８】
上述した課題を解決するために、請求項１に記載の発明は、入射された光を撮影し、撮影により得られた画像データを画像データの撮影情報と共に記録媒体に記録し、記録媒体に記録された画像データを再生して出力し、出力される画像データに対して再生効果を付加できるようにしたディジタルカメラ装置であって、撮影情報と再生効果とを関連付けるようにしたことを特徴とするディジタルカメラ装置である。
【０００９】
また、請求項１５に記載の発明は、入射された光を撮影して得られた画像データが画像データの撮影情報と共に記録された記録媒体から画像データを再生して出力し、出力される画像データに対して再生効果を付加できるようにした画像再生方法であって、撮影情報と再生効果とを関連付けるようにしたことを特徴とする画像再生方法である。
【００１０】
また、請求項１６に記載の発明は、入射された光を撮影して得られた画像データが画像データの撮影情報と共に記録された記録媒体から画像データを再生して出力し、出力される画像データに対して再生効果を付加できるようにされ、撮影情報と再生効果とを関連付けるようにした画像再生方法をコンピュータ装置に実行させることを特徴とする画像再生プログラムである。
【００１１】
また、請求項１７に記載の発明は、画像再生装置に対して画像データの再生方法を指示するためのデータ構造体であって、撮影により得られた画像データと画像データの撮影情報とが共に記録された記録媒体から再生されて出力される画像データに対して、撮影情報に関連付けられた再生効果を付加させるようにした、撮影情報と再生効果とが関連付けられてなるデータ構造体である。
【００１２】
また、請求項１８に記載の発明は、入射された光を撮影し、撮影により得られた画像データを出力する撮影手段と、画像データを画像データの撮影情報と共に記録媒体に記録し、記録媒体に記録された画像データと撮影条件情報とを再生する記録再生手段と、記録再生手段により記録媒体から再生された画像データを出力する出力手段と、出力手段により出力される画像データに対して再生効果を付加する再生効果付加手段とを有し、撮影情報と再生効果とを関連付けるようにしたことを特徴とするディジタルカメラ装置である。
【００１３】
上述したように、請求項１、１５および１６に記載の発明は、入射された光を撮影して得られた画像データが画像データの撮影情報と共に記録された記録媒体から画像データを再生して出力し、出力される画像データに対して再生効果を付加できるようにされ、撮影情報と再生効果とを関連付けるようにしているため、記録媒体に記録された画像データを再生する際に、画像データ毎に一々指定しなくとも、画像データの撮影時の条件に関連付けられた再生効果を画像データ毎に付加することができる。
【００１４】
また、請求項１７に記載の発明は、画像再生装置に対して画像データの再生方法を指示するためのデータ構造体であって、撮影により得られた画像データと画像データの撮影情報とが共に記録された記録媒体から再生されて出力される画像データに対して、撮影情報に関連付けられた再生効果を付加させるようにした、撮影情報と再生効果とが関連付けられてなるため、当該データ構造体によるデータを有する画像再生装置は、記録媒体に記録された画像データを再生する際に、画像データ毎に一々指定しなくとも、画像データの撮影時の条件に関連付けられた再生効果を画像データ毎に付加することができる。
【００１５】
また、請求項１８に記載の発明は、入射された光を撮影し、撮影により得られた画像データを出力する撮影手段と、画像データを画像データの撮影情報と共に記録媒体に記録し、記録媒体に記録された画像データと撮影条件情報とを再生する記録再生手段と、記録再生手段により記録媒体から再生された画像データを出力する出力手段と、出力手段により出力される画像データに対して再生効果を付加する再生効果付加手段とを有し、撮影情報と再生効果とを関連付けるようにしているため、撮影し記録媒体に記録した画像データを記録媒体から読み出して再生する際に、画像データ毎に一々指定しなくとも、画像データの撮影時の条件に関連付けられた再生効果を画像データ毎に付加することができる。
【発明の効果】
【００１６】
この発明は、カメラの撮影情報と再生効果とが関連付けられるため、撮像された画像データを用いたスライドショー再生を、表示される画像データの撮影情報に関連付けられた再生効果を当該画像データの表示の際に付加して行うことで、ユーザが画像データ毎に一々再生効果を設定しなくても、バリエーションに富んだスライドショー再生が楽しめる効果がある。
【００１７】
また、カメラの撮影情報と関連付けられた再生効果が、撮影された画像データのスライドショー再生の際に用いられるため、ユーザが撮影時からスライドショー再生を意識して撮影条件を決めて撮影を行うような、従来とは異なるカメラの楽しみ方を提供することができる効果がある。
【００１８】
さらに、カメラの撮影情報と再生効果とが関連付けられるため、指定された撮影条件に一致する画像データを選択し、当該撮影条件に関連付けられた再生効果を画像データの表示に付加してスライドショー再生を行うことができ、恰もデザイナが順番を決めたかのようなスタイリッシュなスライドショー再生を、手軽に楽しむことができる効果がある。
【発明を実施するための最良の形態】
【００１９】
以下、この発明の実施の一形態について説明する。この発明では、撮影条件情報などのカメラでの撮影時に取得可能な情報と、画像データを再生する際の再生効果とを関連付ける。そして、撮影された画像データを、複数の画像を所定時間ずつ連続的に表示するスライドショー再生により表示する際に、画像データ毎に、当該画像データの撮影時の情報に関連付けられた再生効果を付加する。
【００２０】
画像データの撮影時の情報と再生効果とが関連付けられるため、ユーザが画像データ毎に一々再生効果を設定しなくても、バリエーションに富んだスライドショー再生が楽しめる。
【００２１】
この発明の実施の実施の一形態について、より具体的に説明する。図１は、この発明の実施の一形態に適用可能なディジタルカメラ装置１の一例の構成を示す。制御部３０は、例えばマイクロプロセッサからなり、ＲＯＭ(Read Only Memory)３１に予め記憶されたプログラムに従い、このディジタルカメラ装置１の各部を制御する。なお、制御部３０は、図示されないＲＡＭ(Random Access Memory)を有し、プログラム実行の際のワークメモリとして用いる。
【００２２】
ディジタルカメラ装置１は、このように、マイクロプロセッサおよびメモリを有し、マイクロプロセッサ上で動作するプログラムに従い制御されるので、コンピュータ装置の一種と見なすことができる。
【００２３】
操作Ｉ／Ｆ（インターフェイス）部３２は、シャッタボタンや、このディジタルカメラ装置１における撮影条件などを設定するための各種スイッチやダイヤルなどの操作子が設けられ、これら操作子に対する操作に応じた制御信号を出力する。制御信号は、制御部３０に供給される。制御部３０は、この制御信号に応じてこのディジタルカメラ装置１の各部に対して所定に命令を送り、各種設定や制御などを行う。
【００２４】
光学系１０は、レンズ群、ズームやフォーカス制御を行うためのレンズ駆動部および絞り量を制御する絞り制御部を有する。光路の開閉を機械的に行ってシャッタ速度を制御する機械式シャッタを光学系１０に設けることもできる。光学系１０におけるこれらの制御は、制御部３０からの命令に基づきなされる。
【００２５】
撮像部１１は、光学系１０を介して入射された被写体からの光を、ＣＣＤ(Charge Coupled Device)などの撮像素子を用いて電気信号に変換し、所定の信号処理を施して画像データとして出力する。撮像素子を制御することによりシャッタを構成することもできる。撮像素子から出力された撮像信号は、例えば、ＣＤＳ(Correlated Double Sampling)回路により画像情報を有する信号だけがサンプリングされると共に、ノイズを除去され、ＡＧＣ(Auto Gain Control)回路によりゲインを調整される。そして、Ａ／Ｄ変換回路により画像データに変換され、撮像部１１から出力される。
【００２６】
撮像部１１から出力された画像データは、信号処理部１２に供給される。信号処理部１２は、撮像部１１から供給された画像データに対してガンマ処理やホワイトバランス処理などを施し、画質を調整して出力する。信号処理部１２から出力された画像データは、データバス２０を介してメモリ２３に一旦書き込まれる。
【００２７】
メモリ２３に書き込まれた画像データは、所定のタイミングで読み出され、データバス２０を介して画像処理部１３に供給される。画像処理部１３は、撮影時には、制御部３０からの命令に基づき、供給された画像データに対して圧縮符号化処理を行う。圧縮符号化方式としては、ＪＰＥＧ(Joint Photographic Experts Group)方式を適用することができる。なお、画像データの圧縮符号化方式は、ＪＰＥＧ方式に限定されないし、圧縮符号化処理を行うか否かを選択できるようにしてもよい。
【００２８】
また、画像処理部１３では、制御部３０の命令に基づき、処理対象となっている画像データに付随する情報、例えば、撮影時の撮影条件を示す情報や、撮影された画像データに関する情報（画像データの輝度情報などの特性情報など）を撮影情報として当該画像データに対して付加し、当該画像データと対応する撮影情報とが格納された画像データファイルを形成する。
【００２９】
画像処理部１３で形成された画像データファイルは、一旦メモリ２３に書き込まれる。そして、制御部３０からの命令によりメモリ２３から読み出され、例えばフラッシュメモリなどの不揮発性メモリからなる記録媒体１４に対して記録される。記録媒体１４に対するファイルの記録は、制御部３０の制御に基づき、プログラムにより実現されるファイルシステムの管理下でなされる。ファイルの記録および管理を、フォルダを用いて階層的に行うことも可能である。
【００３０】
なお、記録媒体１４は、不揮発性メモリに限定されない。例えば、記録媒体１４としてデータの記録が可能な光ディスクを用いることができる。また例えば、記録媒体１４として、ハードディスクを用いることができる。
【００３１】
ビデオ出力処理部２２は、メモリ２３から読み出された画像データを、例えばビデオ入力端子付のテレビジョン受像機といった外部モニタで表示するのに適した信号に変換して出力する。一例として、アナログビデオ信号として出力する場合には、ビデオ出力処理部２２は、メモリ２３から所定にラインおよび画素を間引いて画像データを読み出し、フィルタ処理を施して奇数および偶数フィールドの画像データを形成する。この画像データをＤ／Ａ変換すると共にコンポーネントビデオ信号またはコンポジットビデオ信号に変換し、水平同期信号や垂直同期信号といった、ビデオ信号として必要な信号を付加して出力する。
【００３２】
なお、データバス２０には、さらに、例えばＬＣＤ(Liquid Crystal Display)を表示素子として用いた表示部２１が接続される。表示部２１は、撮影時には、信号処理部１２から出力されメモリ２３に書き込まれた画像データが表示され、撮影モニタとして用いられる。また、再生時には、画像処理部１３から出力されメモリ２３に書き込まれた画像データが表示され、記録媒体１４に記録された画像データファイルのモニタとして用いられる。
【００３３】
一方、制御部３０は、メニュー画面や各種設定画面などを表示するための画像データを生成することができる。制御部３０で生成されたこの画像データも、データバス２０を経由して（図示しない）、表示部２１やビデオ出力処理部２２に供給される。
【００３４】
このような構成において、撮影に先んじて、ユーザの操作Ｉ／Ｆ部３２に対する操作により、撮影条件が設定される。設定が行われない場合は、例えばこのディジタルカメラ装置１の例えばＲＯＭ３１に予め記憶されているデフォルトの設定値が用いられる。撮影条件としては、露出（露出補正値や露出プログラムなど）、シャッタスピード、測光方式（測光を、画面を分割した部分に対して行うか、全面に対して行うか、など）、光源の種類（色温度）、レンズ焦点距離（遠距離、接写、ズームなど）、フラッシュの有無や種類（通常のフラッシュ、赤目防止、シンクロなど）、連写の有無、撮像画像の解像度、撮像された画像データを圧縮するか否かや圧縮する場合の圧縮率などが考えられる。この設定された撮影条件に基づき、制御部３０により、光学系１０、撮像部１１、信号処理部１２および画像処理部１３が制御される。
【００３５】
被写体からの光が光学系１０を介して撮像部１１に受光され、光電変換により電気信号に変換された後、既に説明したように所定の信号処理を施されＡ／Ｄ変換されて、画像データが出力される。ユーザが操作Ｉ／Ｆ部３２に設けられたシャッタを押すと、それに応じた制御信号が制御部３０に供給される。制御部３０は、この制御信号によりシャッタが押されたことを検出すると、信号処理部１２を制御して、撮像部１１から供給される画像データを取り込む。
【００３６】
また、シャッタが押された際に、制御部３０は、撮像部１１から出力される画像データの一部または全部を取り込んで解析し、解析結果に基づき、フォーカスを制御するフォーカス制御信号や、露光を制御する露光制御信号を生成する。これらフォーカス制御信号および露光制御信号は、光学系１０および撮像部１１にそれぞれ供給され、フォーカス制御や露光制御が行われる。
【００３７】
信号処理部１２に取り込まれた画像データは、所定の処理を施されデータバス２０を介してメモリ２３に一旦書き込まれる。画像処理部１３は、メモリ２３から画像データを読み出して圧縮符号化処理を行い、メモリ２３の異なる領域に書き込む。一方、上述したような、設定された撮影条件や、撮影時に変化する撮影条件に基づく撮影情報が制御部３０で生成される。圧縮符号化されメモリ２３に書き込まれた画像データに対して撮影情報が付加されてメモリ２３から読み出され、画像データファイルとして記録媒体１４に記録される。
【００３８】
再生時には、記録媒体１４から画像データファイルが読み出され、画像処理部１３に供給される。画像処理部１３は、画像データファイルから撮影情報と画像データとをそれぞれ取り出し、撮影情報を制御部３０に供給すると共に、画像データの圧縮符号を復号化してメモリ２３の異なる領域に書き込む。この画像データは、制御部３０の制御に従いメモリ２３から読み出され、データバス２０を介して表示部２１および／またはビデオ出力処理部２２に供給される。
【００３９】
再生方法としてスライドショー再生が指定された場合には、記録媒体１４から画像データファイルが読み出され、上述したような処理を介して表示部２１および／またはビデオ出力処理部２２に供給される処理が、例えば所定の間隔で、読み出す画像データファイルを異ならされて繰り返される。このとき、読み出された画像データファイルに格納されている撮影情報を制御部３０により取得し、撮影情報に予め関連付けられた再生効果を、表示部２１および／またはビデオ出力処理部２２に供給する画像データ毎に付加することができる。
【００４０】
次に、画像データと撮影情報とが格納される画像データファイルについて概略的に説明する。画像データファイルのフォーマットとしては、ディジタルスチルカメラ用の画像データのファイルフォーマットとして既に規格化されている、Ｅｘｉｆ(Exchangeable image file format)を適用することができる。
【００４１】
図２は、Ｅｘｉｆが適用された画像データファイル（Ｅｘｉｆファイル）１００の一例の構成を示す。Ｅｘｉｆファイル１００は、ヘッダ部１１０と画像データ部１２０とからなる。画像データ部１２０は、撮像して得られた画像データの本体が格納される。当該画像データの画サイズを縮小したサムネイル画像をさらに格納することもできる。ヘッダ部１１０は、画像データ部１２０に格納された画像データに付随する情報がタグ形式で記述されて格納される。以下、このヘッダ部１１０に格納される、画像データに付随する情報を、Ｅｘｉｆ情報と呼ぶ。
【００４２】
Ｅｘｉｆ情報として、画像データの撮影条件に関する情報や画像データに関する情報を記録することができる。また、メーカ独自の情報を記述することも可能である。
【００４３】
撮影条件に関する情報としては、露出時間、シャッタスピード、絞り値、露出補正値、測光方式、光源の種類、フラッシュの有無および種類、レンズ焦点距離、露出プログラムおよびスペクトル感度などが考えられる。ディジタルカメラ装置１がＧＰＳ(Global Positioning System)機能を有していれば、撮影場所の緯度および経度、撮影時刻を撮影条件として用いることもできる。画像データに関する情報としては、画像データの輝度値、画像の回転の有無および回転角、ならびに、解像度（画素数、階調）などが考えられる。また、メーカ独自の情報としては、連写に関する情報などが考えられる。
【００４４】
これらＥｘｉｆ情報として用いるデータは、既定および／またはユーザ操作により設定された値や、撮影の際に自動制御により設定された値が制御部３０に取得される。制御部３０は、取得したこれらのデータに対して、データ種類毎に所定にタグを付してＥｘｉｆ情報としてヘッダ部１１０に格納する。
【００４５】
なお、Ｅｘｉｆ情報として格納されるデータ種類は、上述に限られず、さらに多種類のデータを取得しＥｘｉｆ情報として格納することもできる。また、上述したデータ種類の全てを用いなくてもよい。
【００４６】
この発明では、このＥｘｉｆ情報と、画像データを表示する際の再生効果とを対応付ける。画像データの再生効果について、概略的に説明する。再生効果は、図３に一例が示されるように、画像データの表示期間の先頭から所定期間（表示期間の先頭ｔ0から所定時間後の時間ｔ1までの間）と、終端までの所定期間（表示期間の後端側の時間ｔ2から表示期間終端ｔ3までの間）とに付加される。以下では、画像データの表示期間の先頭から所定期間に付加される効果を開始再生効果、表示期間の終端までの所定期間に付加される効果を終了再生効果と呼ぶ。なお、開始再生効果および終了再生効果の何れか一方のみを、画像データの再生に伴い付加するようにしてもよい。
【００４７】
再生効果の種類は、様々に考えられる。再生効果として、開始再生効果期間におけるフェードイン、終了再生効果期間におけるフェードアウト、第１および第２の画像データのクロスフェード効果が考えられる。さらに、再生効果として、開始再生効果期間および終了再生効果期間において、画像データを移動させながら表示開始および表示終了させるような、アニメーション効果が考えられる。第１の画像データの表示中に第２の画像データを移動のアニメーション効果によりオーバーラップさせて表示することも可能である。さらにまた、表示効果として、第１の画像データによる表示を、部分的に徐々に次の第２の画像データによる表示に置き換えていく、所謂ワイプ処理が考えられる。また、所定間隔で１画素のデータを隣接する複数の画素に対して適用する、所謂モザイク処理が考えられる。移動のアニメーション効果やワイプ処理、モザイク処理では、移動のパターンやワイプのパターン、モザイクのパターンも、多様に考えられる。
【００４８】
なお、再生効果は、これらの例に限定されず、さらに多種多様に考えられ、例えば額縁表示のような、元の画像データに対して他の画像データを付加するような効果も可能である。
【００４９】
上述したような再生効果は、所定のプログラム（以下、再生効果プログラムと呼ぶ）に従い制御部３０により実行される。例えば、制御部３０は、再生効果プログラムに従い、メモリ２３に書き込まれた画像データの読み出しを所定に制御したり、画像データを構成する画素データ毎に所定の演算を行うことで表示画像に対して変化を生じさせ、再生効果を付加する。再生効果プログラムは、例えばこのディジタルカメラ装置１を提供するベンダ側で作成され、予めＲＯＭ３１に格納される。再生効果プログラムの記述方式は、所定の効果を実現可能であれば、特に限定されない。
【００５０】
再生効果とＥｘｉｆ情報との関連付けについて説明する。異なる効果の再生効果Ａ、ＢおよびＣと、異なる種類の撮影条件（露出時間、シャッター速度、フラッシュの有無、など）のＥｘｉｆ情報ａ、ｂおよびｃとを考える。例えば、再生効果Ａに対してＥｘｉｆ情報ａにおける値の範囲Ｘが関連付けられる。また、再生効果Ｂに対して、Ｅｘｉｆ情報ｂにおける値の範囲Ｙが関連付けられる。
【００５１】
より具体的な例を挙げると、フェードインおよびフェードアウト効果である再生効果Ａに対して、Ｅｘｉｆ情報「１／１００ｓｅｃより高速のシャッタ速度」が関連付けられる。あるパターンの移動アニメーション効果である再生効果Ｂに対して、Ｅｘｉｆ情報「２５０ｍｓｅｃ以下の露出時間」が関連付けられる。
【００５２】
１の再生効果に対して複数のＥｘｉｆ情報を関連付けることもできる。例えば、あるパターンのワイプ処理である再生効果Ｃに対して、Ｅｘｉｆ情報「無限遠の被写体距離」と、Ｅｘｉｆ情報「１／２５０ｓｅｃより高速のシャッタ速度」とが関連付けられる。すなわち、再生効果Ｃは、Ｅｘｉｆ情報「被写体距離が無限遠」と、Ｅｘｉｆ情報「シャッタ速度が１／２５０ｓｅｃより高速」とを共に有する場合に、実行される。１の再生効果に複数のＥｘｉｆ情報を関連付ける場合、複数のＥｘｉｆ情報間で優先順位を設定することができる。
【００５３】
このように、再生効果とＥｘｉｆ情報とを関連付けることで、例えばスライドショー再生の際に、表示される画像データに対して、当該画像データに付加されたＥｘｉｆ情報に応じた再生効果を自動的に付加することができる。また、後述する実施の一形態の第１および第２の変形例のように、同一の再生効果が関連付けられているＥｘｉｆ情報が付加された画像データを検索し、検索された画像データによるスライドショー再生を行うこともできる。なお、１の画像データの再生に対し、開始再生効果と終了再生効果とを、それぞれ独立して設定することができる。また、画像データの表示期間をＥｘｉｆ情報に関連付けることもできる。
【００５４】
再生効果とＥｘｉｆ情報との関連付けは、例えばこのディジタルカメラ装置１を提供するベンダ側で設定され、再生効果とＥｘｉｆ情報との関連付けテーブルとして予めＲＯＭ３１に格納される。すなわち、再生効果に対して関連付け可能なＥｘｉｆ情報の項目および値の範囲は、バリエーションが極めて多く、ユーザが一々設定するのは、非常に繁雑な作業であるため、予めベンダ側で設定してユーザに提供するのが好ましいと考えられる。なお、効果的なＥｘｉｆ情報と再生効果との関連付けは、デザイナのセンスに依るところが大きい。
【００５５】
勿論、Ｅｘｉｆ情報と再生効果との関連付けは、操作Ｉ／Ｆ部３２からの操作によりユーザが編集できるようにしてもよい。この場合、ＲＯＭ３１をＥＥＰＲＯＭ(Electrically Erasable Programmable Read Only Memory)などの書き換え可能なものとし、作成された関連付けテーブルをＲＯＭ３１に書き込むようにするとよい。ＲＯＭ３１を書き換え可能なものとした場合、ベンダ側は、例えば記録媒体１４を介して新規の関連付けテーブルを提供し、ＲＯＭ３１上の関連付けテーブルを更新可能とすることは、容易である。
【００５６】
図４は、Ｅｘｉｆ情報に対する再生効果の関連付けをユーザが行うための一例の関連付け設定画面１３０を示す。この関連付け設定画面１３０は、ＲＯＭ３１に格納されたプログラムに従い制御部３０で生成された表示制御信号に基づき、表示部２１に表示される。ユーザは、この関連付け設定画面１３０の表示に基づき操作Ｉ／Ｆ部３２に設けられた操作子を操作して、設定項目の選択、設定値の入力、設定内容の保存および設定された内容に基づくスライドショー再生などを行うことができる。一例として、操作Ｉ／Ｆ部３２に対して、上下左右などの４方向を指定可能な４方向キーを操作子として設け、当該操作子に対する上下方向の操作で入力項目の選択を行い、左右方向の操作で値の選択を行い、値を確定するようにできる。実際のスライドショー再生による画像データは、ビデオ出力処理部２２に供給され、外部のモニタに映出される。
【００５７】
なお、関連付け設定画面１３０に関する上述した表示方法や操作方法は、後述する類似の表示画面に対しても、同様に適用可能なものである。
【００５８】
図４の例では、関連付け設定画面１３０により、Ｅｘｉｆ情報のうち「露出モード」、「絞り値」および「撮影日時」に対して、それぞれ再生効果を設定することができるようにされている。例えば、所定の操作子を用いてタブ１３１Ａ、１３１Ｂおよび１３１Ｃを切り換えることで、「露出モード」、「絞り値」および「撮影日時」から設定を行うＥｘｉｆ情報が選択され、関連付け設定画面１３０の表示が、選択されたＥｘｉｆ情報に対して再生効果を関連付ける表示に切り替わる。
【００５９】
また、この図４の例では、「露出モード」が露出プログラムの内容に応じて「人物」、「マニュアル」、「風景」などの言葉で表現されている。表示領域１３２Ａ〜１３２Ｄにより、再生効果を対応付けたい露出モードを選択し、表示領域１３３により、開始再生効果、終了再生効果および表示時間をそれぞれ設定する。ここでは、表示領域１３２Ａ〜１３２Ｄの左側に表示される三角マークにより、現在設定対象となっている露出モードが示される。なお、露出モード「デフォルト」は、例えば再生効果が明示的に設定された以外の露出モードを示す。
【００６０】
なお、図４のＥｘｉｆ情報のうち「絞り値」や「撮影日時」は、範囲指定で再生効果を設定するようにできる。さらに、「撮影日時」については、実際に記録媒体１４に記録されている画像データファイルそれぞれの撮影日時に基づき再生効果を設定するようにもできる。
【００６１】
再生効果の設定方法は、この例に限られるものでなく、勿論、再生効果を設定可能なＥｘｉｆ情報も、図４の例に限定されない。また、同一の再生効果に複数のＥｘｉｆ情報が関連付けられている場合には、Ｅｘｉｆ情報に対して優先順位を設けることが考えられる。優先順位は、ベンダ側で予め設定しておいてもよいし、ユーザが設定するようにしてもよい。
【００６２】
関連付け設定画面１３０の下部に設けられたボタン画像１３６および１３８は、関連付け設定画面１３０で設定されたＥｘｉｆ情報を持つ画像データファイルを用いたスライドショー再生の実行およびキャンセルを指示するためのものである。また、ボタン画像１３７は、この関連付け設定画面１３０で設定された設定内容の保存を指示するためのものである。所定の操作子を操作して、保存を指示するボタン画像１３７を選択し決定操作を行うことで、設定内容が例えば書き換え可能とされているＲＯＭ３１に保存される。設定内容を記録媒体１４に保存することも可能である。
【００６３】
設定内容をＲＯＭ３１に保存することで、このディジタルカメラ装置１の起動時に、Ｅｘｉｆ情報と再生効果との関連付け情報をＲＯＭ３１から読み出すようにできる。また、設定内容を記録媒体１４に保存することで、記録媒体１４毎に異なった設定内容に基づくスライドショー再生を実行することができる。
【００６４】
次に、この発明の実施の一形態によるスライドショー再生動作について説明する。スライドショー再生開始に先立って、スライドショー再生に関する基本的な設定を行うことができる。図５は、スライドショー再生の基本設定を行うための一例の基本設定画面１５０を示す。基本設定画面１５０に、スライドショー再生の基本設定を行うための表示領域１５１〜１５６が設けられる。ユーザは、操作Ｉ／Ｆ部３２に設けられた４方向キーなどの操作子を用いて、表示領域１５１〜１５６から設定対象を選択し、値を入力する。
【００６５】
表示領域１５１は、スライドショー再生の再生方法を指定する。スライドショー再生の再生方法として、この実施の一形態では、「カスタム」、「スタイリッシュ」および「スタンダード」の３種類を定義している。
【００６６】
「カスタム」は、この実施の一形態に対応するもので、先ず画像データを選択し、選択された画像データを順次再生する際に、再生される画像データに対応するＥｘｉｆ情報に関連付けられた効果を付加する方法である。「スタイリッシュ」は、後述する実施の一形態の第１および第２の変形例に対応するもので、例えば先ず付加する再生効果を選択し、当該再生効果に関連付けられたＥｘｉｆ情報を持つ画像データを選択して順次、再生する方法である。「スタンダード」は、選択された再生効果をスライドショー再生を行う全ての画像データに固定的に付加する方法である。なお、スライドショー再生の再生方法は、上述の３種類に限定されるものではない。
【００６７】
表示領域１５２〜１５４は、開始再生効果、終了再生効果および表示時間について、デフォルトの値を設定する。表示時間は、例えば図３の表示期間から開始再生効果および終了再生効果の時間を差し引いた時間である。これは、例えばスライドショー再生を行う画像データファイルに有効なＥｘｉｆ情報が存在せず、Ｅｘｉｆ情報に対応する再生効果を付加できないような場合に付加する再生効果を設定する。
【００６８】
表示領域１５５は、スライドショー再生を行うための画像データファイルの存在する、記録媒体１４上の場所を設定する。また、表示領域１５６は、スライドショー再生を、選択された全ての画像データファイルの再生が終了した後に、再び繰り返して行うか否かを設定する。
【００６９】
図５において基本設定画面１５０の下部に設けられるボタン画像１５７および１５８は、スライドショー再生の実行およびキャンセルを指示するためのものである。操作Ｉ／Ｆ部３２に設けられた例えば４方向キーを用いて実行を示すボタン画像１５７を選択し、所定に決定操作を行うことで、表示領域１５１〜１５６に表示されている内容で、スライドショー再生が開始される。スライドショー再生が行われている最中に、キャンセルを指示するボタン画像１５８を選択し決定操作を行うことで、現在行われているスライドショー再生を中断することができる。
【００７０】
図６は、この発明の実施の一形態による一例のスライドショー再生動作を示すフローチャートである。この図６のフローチャートに示される処理は、例えば上述したスライドショー再生方法の「カスタム」に対応する。図５で示した基本設定画面１５０において、表示領域１５１で「カスタム」が選択されると共に、他の表示領域１５２〜１５６で所定に設定がなされた状態で、ボタン画像１５７が選択され所定に決定操作が行われると、スライドショー再生が開始される。
【００７１】
スライドショー再生が開始されると、先ず、ステップＳ１０で、記録媒体１４に記録されている画像データファイルが所定に選択されて読み出され、メモリ２３に転送される。画像データファイルに、画像データが圧縮符号化されて格納されている場合、画像データが圧縮されたままメモリ２３に転送される。そして、次のステップＳ１１で、画像処理部１５は、メモリ２３に書き込まれた圧縮画像データを読み出して圧縮符号を復号化し、圧縮画像データを伸長して、メモリ２３上の、圧縮画像データが書き込まれているアドレスとは異なるアドレスに書き込む。
【００７２】
次のステップＳ１２で、制御部３０は、メモリ２３に書き込まれた画像データに、Ｅｘｉｆ情報が付随されているか否かを判断する。若し、Ｅｘｉｆ情報が付随されていると判断されれば、ステップＳ１３で、制御部３０は、メモリ２３から当該Ｅｘｉｆ情報を読み出して取得する。Ｅｘｉｆ情報が制御部３０に取得されると、ステップＳ１４で、取得されたＥｘｉｆ情報に、開始再生効果として関連付けられている情報があるか否かが判断される。若し、あると判断された場合、処理はステップＳ１５に移行し、Ｅｘｉｆ情報に関連付けられている開始再生効果を付加して、ステップＳ１１でメモリ２３に書き込まれた画像データの再生を開始する。
【００７３】
一方、ステップＳ１４で、開始再生効果と関連付けられている情報が無いと判断されれば、処理はステップＳ１６に移行され、基本設定画面１５０の表示領域１５２でデフォルトに指定されている開始再生効果を付加して、ステップＳ１１でメモリ２３に書き込まれた画像データの再生を開始する。
【００７４】
ステップＳ１５またはステップＳ１６で開始再生効果を付加して画像データの再生が開始されると、処理はステップＳ１７に移行する。ステップＳ１７では、ステップＳ１３で取得されたＥｘｉｆ情報に、画像データの表示時間と関連付けられている情報があるか否かが判断される。若し、あると判断された場合、処理はステップＳ１８に移行し、Ｅｘｉｆ情報に関連付けられている表示時間の間、画像データの表示を行う。
【００７５】
一方、ステップＳ１７で、画像データの表示時間に関連付けられている情報が無いと判断されれば、処理はステップＳ１９に移行され、基本設定画面１５０の表示領域１５４で、デフォルトに指定されている表示時間の間、画像データの表示を行う。
【００７６】
ステップＳ１８またはステップＳ１９で指定された表示時間の表示が終了されると、処理はステップＳ２０に移行する。ステップＳ２０では、ステップＳ１３で取得されたＥｘｉｆ情報に、終了再生効果として関連付けられている情報があるか否かが判断される。若し、あると判断された場合、処理はステップＳ２１に移行し、Ｅｘｉｆ情報に関連付けられている終了再生効果を付加して当該画像データの再生を継続し、終了再生効果に従い画像データの表示を、例えば消す。
【００７７】
一方、ステップＳ２０で、開始再生効果と関連付けられている情報が無いと判断されれば、処理はステップＳ２２に移行され、基本設定画面１５０の表示領域１５３でデフォルトに指定されている終了再生効果を付加して、当該画像データの再生を終了する。
【００７８】
なお、上述のステップＳ１２で、メモリ２３に書き込まれた伸長後の画像データに、Ｅｘｉｆ情報が付加されていないと判断された場合には、処理はステップＳ２３に移行し、さらにステップＳ２４およびステップＳ２５と処理が進められ、基本設定画面１５０でデフォルト値として設定された開始再生効果、表示時間および終了再生効果に従い再生効果の付加および表示時間の制御がなされ、当該画像データの表示が行われる。
【００７９】
この発明の実施の一形態では、記録媒体１４に記録された画像データファイルをスライドショー再生する際に、上述のようにして画像データに付随するＥｘｉｆ情報に基づき開始再生効果、表示時間および終了再生効果を自動的に付加および制御するようにしている。そのため、ユーザの手を煩わせなくても、表現力に富んだスライドショー再生を行うことができる。
【００８０】
また、撮影時にスライドショー再生を意識して撮影条件を設定するような使用法も考えられ、従来にはなかったカメラの楽しみ方などを提供することができる。
【００８１】
次に、この発明の実施の一形態の第１の変形例について説明する。この実施の一形態の第１の変形例では、画像データのＥｘｉｆ情報に関連付けられた再生効果を付加して画像データをプレビューし、所望の再生効果と関連付けられたＥｘｉｆ情報を有する画像データを、スライドショー再生に用いる候補の画像データとして選択できるようにしている。
【００８２】
そして、選択された候補の画像データから、実際にスライドショー再生に用いる画像データをさらに選択する。選択された候補の画像データを例えばランダムに選択してスライドショー再生を行うこともできる。
【００８３】
なお、上述の発明の実施の一形態で図１および図２を用いて説明したディジタルカメラ装置１および画像データファイル１００の構成や、画像データに付随するＥｘｉｆ情報と再生効果との関連付けなどは、この実施の一形態の第１の変形例にもそのまま適用可能であるので、繁雑さを避けるために、詳細な説明を省略する。
【００８４】
図７は、画像データのプレビューおよび選択を行うための一例のスライドショー画像設定画面１６０を示す。表示領域１６２は、スライドショー再生に用いる候補の画像データが例えば複数枚、表示される。
【００８５】
画像データファイルは、少なくとも表示領域１６２に表示可能な分が記録媒体１４から読み出される。読み出された画像データファイルのそれぞれについて、Ｅｘｉｆ情報が制御部３０に取得されると共に、画像データが上述したような伸長処理などを介して表示部２１に供給され、表示領域１６２に所定に表示される。表示領域１６２に表示される画像データは、操作子に対する所定の操作、例えば４方向キーの左右方向への操作で順次、切り換えることができる。すなわち、操作子に対する操作に応じて、必要に応じて記録媒体１４から画像データファイルが読み出され、上述したような処理により、表示領域１６２に順次、表示される。
【００８６】
表示領域１６１は、再生効果のプレビュー表示部であって、表示領域１６２に表示されている画像データのうち１枚が、当該画像データに付随するＥｘｉｆ情報に関連付けられた再生効果を付加されて表示される。この図７の例では、表示領域１６２に表示される３枚の画像データのうち中央に表示されている画像データ（図７中に２重枠で示す）が、表示領域１６１に共に表示されるようになっている。このとき、制御部３０により、当該画像データに付随するＥｘｉｆ情報に関連付けられた再生効果を実行する再生効果プログラムが例えばＲＯＭ３１から読み出される。そして、表示領域１６１に対する当該画像データの表示に対して、読み出された再生効果プログラムによる再生効果が付加される。ユーザの操作に応じて、任意のタイミングで再生効果を付加することも可能である。
【００８７】
ユーザは、表示領域１６１にプレビュー表示される画像データに付加された再生効果を見て、当該再生効果に関連付けられたＥｘｉｆ情報を持つ画像データをスライドショー再生に用いるか否かを選択する。例えば、操作Ｉ／Ｆ部３２に設けられた決定を指示する操作子を操作することで、表示領域１６１に表示されている画像データ（画像データファイル）が選択される。画像データが選択されることで、当該画像データに付加された再生効果に関連付けられたＥｘｉｆ情報を特定することができる。
【００８８】
ユーザは、例えば、このスライドショー画像設定画面１６０を用いて所望の再生効果を選択し、選択された再生効果に関連付けられたＥｘｉｆ情報を有する画像データファイルを、記録媒体１４に記録された画像データファイルの中から予め選択することができる。
【００８９】
このとき、複数のＥｘｉｆ情報の項目に基づき、画像データファイルの選択条件を指定することができる。この場合、複数のＥｘｉｆ情報の項目毎に、予め優先順位を設定しておくのが好ましい。また、複数のＥｘｉｆ情報の項目に基づき画像データファイルを選択した結果、スライドショー再生を行うには少ない画像データファイルしか選択されなかった場合などは、画像データファイルの選択に用いるＥｘｉｆ情報の項目数を少なくするとよい。
【００９０】
次に、ユーザにより、上述のようにして選択された、所望の再生効果に関連付けられたＥｘｉｆ情報を有する画像データファイルから、実際のスライドショー再生に用いる画像データファイルがさらに選択される。
【００９１】
例えば、スライドショー画像設定画面１６０を用いて上述のようにして選択された、所望の再生効果に関連付けられたＥｘｉｆ情報を有する画像データが、表示領域１６２に表示され、表示領域１６１には、表示領域１６２の表示された画像データのうち１枚が、当該画像データが有するＥｘｉｆ情報に関連付けられた再生効果を付加されて表示される。ユーザは、このようにして表示領域１６１に表示された画像データおよび再生効果をプレビューし、例えば、操作Ｉ／Ｆ部３２に設けられた決定を指示する操作子を操作することで、実際のスライドショー再生に用いる画像データを選択および決定する。
【００９２】
この操作を、表示領域１６１に表示される画像データを切り換えながら、実際のスライドショー再生に用いる画像データが全て揃ったと思われるまで、繰り返す。選択された画像データのファイル名などは、例えば制御部３０が有するＲＡＭに一時的に記憶される。これに限らず、ファイル名などを記録媒体１４に記録するようにしてもよい。画像データの選択順は、スライドショー再生の際の画像データの再生順に反映させることができる。
【００９３】
このようにして、特定の再生効果が付加される画像データファイルを順次選択して再生することで、よりスタイリッシュなスライドショー再生を実行することができる。また、ユーザが撮影時からスライドショー再生を意識して撮影条件を決めて撮影を行うような、従来とは異なるカメラの楽しみ方を提供することができる。
【００９４】
なお、上述では、特定のＥｘｉｆ情報を有する画像データから、実際のスライドショー再生に用いる画像データをさらに選択し、選択順に従ってスライドショー再生を行うように説明したが、これはこの例に限定されない。例えば、特定のＥｘｉｆ情報を有する画像データが選択されたら、選択された画像データからスライドショー再生に用いる画像データをランダムに選択するようにしてもよい。こうすることで、スライドショー再生を手軽に楽しむことができる。
【００９５】
次に、この発明の実施の一形態の第２の変形例について説明する。この第２の変形例では、スライドショー再生に用いる画像データの選択条件として、Ｅｘｉｆ情報を用いる。すなわち、記録媒体１４に記録された画像データファイルから特定のＥｘｉｆ情報を有する画像データファイルを検索し、検索された画像データファイルをスライドショー再生に用いる。
【００９６】
なお、上述の発明の実施の一形態で図１および図２を用いて説明したディジタルカメラ装置１および画像データファイル１００の構成や、画像データに付随するＥｘｉｆ情報と再生効果との関連付けなどは、この実施の一形態の第１の変形例にもそのまま適用可能であるので、繁雑さを避けるために、詳細な説明を省略する。
【００９７】
一例として、ディジタルカメラ装置１に予め組み込まれている（ＲＯＭ３１に再生効果プログラムが記憶されている）再生効果をブラウズするブラウザ画面（図示しない）を用意する。ブラウザ画面は、例えば、所定の画像や記録媒体１４に記録された画像データファイルによる画像を、再生効果を付加した状態でプレビュー表示させる。付加する再生効果は、操作Ｉ／Ｆ部３２に対する所定の操作で選択可能とする。操作Ｉ／Ｆ部３２に対する所定の操作により、選択された再生効果が決定され、例えばＲＯＭ３１から当該再生効果を実行する再生効果プログラムが制御部３０に読み出される。なお、再生効果の選択はこの例に限らず、例えば再生効果のプレビュー再生を行わずに、リスト表示などから選択するようにしてもよい。
【００９８】
再生効果が選択されると、記録媒体１４に記録されている画像データファイルから、再生効果に関連付けられているＥｘｉｆ情報を持つ画像データファイルが検索される。検索された画像データファイルは、当該画像データファイルのＥｘｉｆ情報に関連付けられた再生効果を付加されて、スライドショー再生される。
【００９９】
図８は、この実施の一形態の第２の変形例によるスライドショー再生の一例の処理を示すフローチャートである。このフローチャートにより処理が開始されるのに先立って、上述したブラウザ画面などを用いて再生効果を予め選択する。そして、例えば図５を用いて説明したような基本設定画面１５０により、ボタン画像１３７を指定することで、スライドショー再生が開始される。
【０１００】
この実施の一形態の第２の変形例の場合、例えば、表示領域１５１は、「スタイリッシュ」が表示され、表示領域１５２〜１５４は、デフォルトとして予め指定された再生効果の設定情報が表示される。これに限らず、表示領域１５２〜１５４に、選択された再生効果の設定情報を表示してもよい。また例えば、表示領域１５５および１５６の内容は、ユーザが別途、設定することができる。
【０１０１】
なお、画像データファイルの記録媒体１４からの読み出しや、読み出された画像データファイルに格納された画像データの再生は、上述の実施の一形態などで既に説明したものと同様であるので、繁雑さを避けるために、詳細な説明を省略する。
【０１０２】
図８において、スライドショー再生が開始されると、ステップＳ３０で、ＲＯＭ３１に記憶される、再生効果とＥｘｉｆ情報との関連付けテーブルが参照され、予め選択された再生効果に関連付けられているＥｘｉｆ情報が取得される。
【０１０３】
次のステップＳ３１で、ステップＳ３０で取得されたＥｘｉｆ情報を持つ画像データファイルが記録媒体１４から検索される。検索対象は、例えば、基本設定画面１５０における表示領域１５５に表示された内容に基づく。例えば、記録媒体１４上の、検索対象とされている画像データファイルが順次、記録媒体１４から読み出され、メモリ２３に記憶される。制御部３０は、メモリ２３に記憶された画像データファイルからＥｘｉｆ情報を取り出す。画像データファイル中の画像データ部は、メモリ２３上に保持していてもよいし、一旦破棄してもよい。そして、ステップＳ３０で取得されたＥｘｉｆ情報と合致するＥｘｉｆ情報を持つ画像データファイルが検索される。
【０１０４】
ステップＳ３１の検索結果に基づき、次のステップＳ３２で、ステップＳ３０で取得されたＥｘｉｆ情報と合致するＥｘｉｆ情報を持つ画像データファイルが記録媒体１４に存在するか否かが判断される。
【０１０５】
若し、存在すると判断されれば、処理はステップＳ３３に移行される。ステップＳ３３では、検索された画像データファイルを例えばランダムに選択し、選択された画像データファイルが持つＥｘｉｆ情報に関連付けられた再生効果を付加して、当該画像データファイルに格納される画像データによる画像の表示を行う。
【０１０６】
一方、ステップＳ３２で、ステップＳ３０で取得されたＥｘｉｆ情報と合致するＥｘｉｆ情報を持つ画像データファイルが記録媒体１４に存在しないと判断されれば、処理はステップＳ３４に移行される。ステップＳ３４では、記録媒体１４内の画像データファイルを例えばランダムに選択して読み出し、例えば当該画像データファイルが持つＥｘｉｆ情報に関連付けられた再生効果を付加して、当該画像データファイルに格納される画像データによる画像の表示を行う。ステップＳ３４では、これに限らず、例えばデフォルトとして予め指定された再生効果を付加するようにしてもよい。
【０１０７】
ステップＳ３３またはステップＳ３４の処理を、例えば基本設定画面１５０の表示領域１５６に表示された内容に従い、表示対象の全画像データファイルによる表示が終了するまで、あるいは、表示対象の全画像データファイルによる再生を繰り返して行い、一連のスライドショー再生処理が終了される。
【０１０８】
このように、この発明の実施の一形態の第２の変形例によるディジタルカメラ装置１を用いることで、恰もデザイナが順番を決めたかのようなスタイリッシュなスライドショー再生を、手軽に楽しむことができる。
【０１０９】
なお、上述では、この発明に適用可能な画像データファイルのフォーマットとしてＥｘｉｆを用いたが、これはこの例に限定されない。すなわち、撮影により得られた画像データと、当該画像データの撮影時の撮影条件とが対応付けられれば、他の形式のデータファイルフォーマットを適用することができる。また、撮影条件および画像データは、必ずしも同一ファイル中に存在する必要はない。これらを互いに別ファイルにしてファイル名や対応表などで対応付けてもよいし、撮影条件をデータベース形式とし、画像データと対応付けてもよい。
【図面の簡単な説明】
【０１１０】
【図１】この発明の実施の一形態に適用可能なディジタルカメラ装置１の一例の構成を示すブロック図である。
【図２】Ｅｘｉｆが適用された画像データファイルの一例の構成を示す略線図である。
【図３】出力される画像データに付加される再生効果を説明するための略線図である。
【図４】Ｅｘｉｆ情報に対する再生効果の関連付けをユーザが行うための一例の関連付け設定画面を示す略線図である。
【図５】スライドショー再生の基本設定を行うための一例の基本設定画面を示す略線図である。
【図６】この発明の実施の一形態による一例のスライドショー再生動作を示すフローチャートである。
【図７】画像データのプレビューおよび選択を行うための一例のスライドショー画像設定画面を示す略線図である。
【図８】この実施の一形態の第２の変形例によるスライドショー再生の一例の処理を示すフローチャートである。
【符号の説明】
【０１１１】
１  ディジタルカメラ装置
１１  撮像部
１２  信号処理部
１３  画像処理部
１４  記録媒体
２０  データバス
２１  表示部
２２  ビデオ出力処理部
２３  メモリ
３０  制御部
３１  ＲＯＭ
３２  操作Ｉ／Ｆ部
１３０  関連付け設定画面
１５０  基本設定画面
１６０  スライドショー画像設定画面
【図１】
2006211324.tif 000003
【図２】
2006211324.tif 000004
【図３】
2006211324.tif 000005
【図４】
2006211324.tif 000006
【図５】
2006211324.tif 000007
【図６】
2006211324.tif 000008
【図７】
2006211324.tif 000009
【図８】
2006211324.tif 000010